(57)【要約】パイプ要素を継合するカップリングのためのシールが、角度を付けて配向されたランプ表面を外側表面上に有する。ランプ表面は、カップリングを形成する区間間の界面において３時および９時位置に位置付けられる、正反対の対で配列される。ランプは、ともに牽引され、シールを圧縮し、液密パイプ継手を形成するにつれて、区間間へのシールの挟込を軽減することが期待される。本発明はまた、外側リングと同軸方向に配向される軸を囲繞する、外側リングを備える、シールを包含する。
2019504249.tif 000002
【特許請求の範囲】
【請求項１】
シールであって、
外側リングであって、前記外側リングは、前記外側リングと同軸方向に配向される軸を囲繞しており、前記外側リングは、前記軸から離れるように面する外側表面を有する、外側リングと、
前記外側表面上に相互に隣接して位置付けられる、第１および第２のランプ表面であって、前記第１および第２のランプ表面は、前記外側表面から外向きに突出する第１の頂点に沿って連続的であり、前記第１および第２のランプ表面は、前記軸から前記第１の頂点まで半径方向に延在する、第１の線に対して角度を付けて配向される、第１および第２のランプ表面と
を備える、シール。
【請求項２】
前記外側表面上に相互に隣接して位置付けられる、第３および第４のランプ表面であって、前記第３および第４のランプ表面は、前記外側表面から外向きに突出する第２の頂点に沿って連続的であり、前記第３および第４のランプ表面は、前記軸から前記第２の頂点まで半径方向に延在する、第２の線に対して角度を付けて配向される、第３および第４のランプ表面
をさらに備える、請求項１に記載のシール。
【請求項３】
前記第１および第２の頂点は、相互に正反対である、請求項２に記載のシール。
【請求項４】
前記外側リングの第１の側の周囲に円周方向に延在する、ローブであって、前記ローブは、前記軸から離れるように面する外側表面および前記軸に向かって面するシール表面を有する、ローブ
をさらに備える、請求項３に記載のシール。
【請求項５】
前記ローブの外側表面上に相互に隣接して位置付けられる、第５および第６のランプ表面であって、前記第５および第６のランプ表面は、前記ローブの外側表面から突出する第３の頂点に沿って連続的であり、前記第５および第６のランプ表面は、前記軸から前記第３の頂点まで半径方向に延在する、第３の線に対して角度を付けて配向される、第５および第６のランプ表面
をさらに備える、請求項４に記載のシール。
【請求項６】
前記第１および第３の頂点は、相互に整合される、請求項５に記載のシール。
【請求項７】
前記ローブの外側表面上に相互に隣接して位置付けられる、第７および第８のランプ表面であって、前記第７および第８のランプ表面は、前記ローブの外側表面から突出する第４の頂点に沿って連続的であり、前記第７および第８のランプ表面は、前記軸から前記第４の頂点まで半径方向に延在する、第４の線に対して角度を付けて配向される、第７および第８のランプ表面
をさらに備える、請求項５に記載のシール。
【請求項８】
前記第２および第４の頂点は、相互に整合される、請求項７に記載のシール。
【請求項９】
前記ローブと反対の外側リングの側の周囲に円周方向に延在する、リムであって、前記リムは、前記軸から離れるように面し、前記外側リングの外側表面からオフセットされる、外側表面を有する、リムと、
前記リムの外側表面上に相互に隣接して位置付けられる、第９および第１０のランプ表面であって、前記第９および第１０のランプ表面は、前記リムの外側表面から突出する第５の頂点に沿って連続的であり、前記第９および第１０のランプ表面は、前記軸から前記第５の頂点まで半径方向に延在する、第５の線に対して角度を付けて配向される、第９および第１０のランプ表面と
をさらに備える、請求項７に記載のシール。
【請求項１０】
前記リムの外側表面上に相互に隣接して位置付けられる、第１１および第１２のランプ表面であって、前記第１１および第１２のランプ表面は、前記リムの外側表面から突出する第６の頂点に沿って連続的であり、前記第１１および第１２のランプ表面は、前記軸から前記第６の頂点まで半径方向に延在する、第６の線に対して角度を付けて配向される、第１１および第１２のランプ表面
をさらに備える、請求項９に記載のシール。
【請求項１１】
前記第５および第６の頂点は、相互に正反対である、請求項１０に記載のシール。
【請求項１２】
前記第５の頂点は、前記第１の頂点と整合され、前記第６の頂点は、前記第２の頂点と整合される、請求項１１に記載のシール。
【請求項１３】
前記外側リングと前記軸との間に位置付けられる、内側リングであって、前記内側リングは、前記外側リングと前記ローブとの間に取り付けられ、前記軸と垂直に配向される対向して面する表面を画定する、内側リング
をさらに備える、請求項４に記載のシール。
【請求項１４】
前記外側リングと前記軸との間に位置付けられる、内側リングであって、前記内側リングは、前記ローブに取り付けられ、前記軸と垂直に配向される対向して面する表面を画定する、内側リング
をさらに備える、請求項４に記載のシール。
【請求項１５】
シールであって、
外側リングであって、前記外側リングは、前記外側リングと同軸方向に配向される軸を囲繞しており、前記外側リングは、前記軸から離れるように面する外側表面を有する、外側リングと、
前記外側表面上に相互に隣接して位置付けられる、第１および第２のランプ表面であって、前記第１および第２のランプ表面は、前記外側表面から外向きに突出する第１の頂点に沿って連続的であり、前記第１および第２のランプ表面は、前記軸から前記第１の頂点まで半径方向に延在する、第１の線に対して角度を付けて配向される、第１および第２のランプ表面と、
前記外側表面上に相互に隣接して位置付けられる、第３および第４のランプ表面であって、前記第３および第４のランプ表面は、前記外側表面から外向きに突出する第２の頂点に沿って連続的であり、前記第３および第４のランプ表面は、前記軸から前記第２の頂点まで半径方向に延在する、第２の線に対して角度を付けて配向される、第３および第４のランプ表面と
を備え、
前記第１および第２の頂点は、相互に正反対である、シール。
【請求項１６】
前記外側リングの第１の側の周囲に円周方向に延在する、ローブであって、前記ローブは、前記軸から離れるように面する外側表面および前記軸に向かって面するシール表面を有する、ローブと、
前記ローブの外側表面上に相互に隣接して位置付けられる、第５および第６のランプ表面であって、前記第５および第６のランプ表面は、前記ローブの外側表面から突出する第３の頂点に沿って連続的であり、前記第５および第６のランプ表面は、前記軸から前記第３の頂点まで半径方向に延在する、第３の線に対して角度を付けて配向される、第５および第６のランプ表面と、
前記ローブの外側表面上に相互に隣接して位置付けられる、第７および第８のランプ表面であって、前記第７および第８のランプ表面は、前記ローブの外側表面から突出する第４の頂点に沿って連続的であり、前記第７および第８のランプ表面は、前記軸から前記第４の頂点まで半径方向に延在する、第４の線に対して角度を付けて配向される、第７および第８のランプ表面と
をさらに備える、請求項１５に記載のシール。
【請求項１７】
前記第１および第３の頂点は、相互に整合され、前記第２および第４の頂点は、相互に整合される、請求項１６に記載のシール。
【請求項１８】
前記ローブと反対の外側リングの側の周囲に円周方向に延在する、リムであって、前記リムは、前記軸から離れるように面し、前記外側リングの外側表面からオフセットされる、外側表面を有する、リムと、
前記リムの外側表面上に相互に隣接して位置付けられる、第９および第１０のランプ表面であって、前記第９および第１０のランプ表面は、前記リムの外側表面から突出する第５の頂点に沿って連続的であり、前記第９および第１０のランプ表面は、前記軸から前記第５の頂点まで半径方向に延在する、第５の線に対して角度を付けて配向される、第９および第１０のランプ表面と、
前記リムの外側表面上に相互に隣接して位置付けられる、第１１および第１２のランプ表面であって、前記第１１および第１２のランプ表面は、前記リムの外側表面から突出する第６の頂点に沿って連続的であり、前記第１１および第１２のランプ表面は、前記軸から前記第６の頂点まで半径方向に延在する、第６の線に対して角度を付けて配向される、第１１および第１２のランプ表面と
をさらに備え、
前記第５および第６の頂点は、相互に正反対である、請求項１６に記載のシール。
【請求項１９】
前記第３および第５の頂点は、前記第１の頂点と整合され、前記第４および第６の頂点は、前記第２の頂点と整合される、請求項１８に記載のシール。
【請求項２０】
前記外側リングと前記軸との間に位置付けられる、内側リングであって、前記内側リングは、前記外側リングと前記ローブとの間に取り付けられ、前記軸と垂直に配向される対向して面する表面を画定する、内側リング
をさらに備える、請求項１６に記載のシール。
【請求項２１】
前記外側リングと前記軸との間に位置付けられる、内側リングであって、前記内側リングは、前記ローブに取り付けられ、前記軸と垂直に配向される対向して面する表面を画定する、内側リング
をさらに備える、請求項１６に記載のシール。
【請求項２２】
組み合わせにおける、パイプ要素を継合するためのシールおよびカップリングであって、前記シールは、
外側リングであって、前記外側リングは、前記外側リングと同軸方向に配向される軸を囲繞しており、前記外側リングは、前記軸から離れるように面する外側表面を有する、外側リングと、
前記外側表面上に相互に隣接して位置付けられる、第１および第２のランプ表面であって、前記第１および第２のランプ表面は、前記外側表面から外向きに突出する第１の頂点に沿って連続的であり、前記第１および第２のランプ表面は、前記軸から前記第１の頂点まで半径方向に延在する、第１の線に対して角度を付けて配向される、第１および第２のランプ表面と、
前記外側表面上に相互に隣接して位置付けられる、第３および第４のランプ表面であって、前記第３および第４のランプ表面は、前記外側表面から外向きに突出する第２の頂点に沿って連続的であり、前記第３および第４のランプ表面は、前記軸から前記第２の頂点まで半径方向に延在する、第２の線に対して角度を付けて配向される、第３および第４のランプ表面と、
を備え、
前記第１および第２の頂点は、相互に正反対であり、
前記カップリングは、
相互の端間に取り付けられ、前記シールを囲繞する、複数の区画であって、各前記区画は、両端に位置する取付部材を有し、各前記区画は、前記パイプ要素との係合のために、その両側上に位置付けられる弧状表面を有する、複数の区画
を備える、組み合わせ。
【請求項２３】
前記取付部材は、各前記区画の両端から外向きに延在するつまみであって、各前記つまみは、締結具を受容するための孔を画定する、つまみ
を備える、請求項２２に記載の組み合わせ。
【請求項２４】
前記弧状表面は、前記区画から半径方向に前記軸に向かって突出する、請求項２２に記載の組み合わせ。
【請求項２５】
前記外側リングの第１の側の周囲に円周方向に延在する、ローブであって、前記ローブは、前記パイプ要素のうちの１つとの係合のために、前記軸から離れるように面する外側表面および前記軸に向かって面するシール表面を有する、ローブと、
前記ローブの外側表面上に相互に隣接して位置付けられる、第５および第６のランプ表面であって、前記第５および第６のランプ表面は、前記ローブの外側表面から突出する第３の頂点に沿って連続的であり、前記第５および第６のランプは、前記軸から前記第３の頂点まで半径方向に延在する、第３の線に対して角度を付けて配向される、第５および第６のランプ表面と、
前記ローブの外側表面上に相互に隣接して位置付けられる、第７および第８のランプ表面であって、前記第７および第８のランプ表面は、前記ローブの外側表面から突出する第４の頂点に沿って連続的であり、前記第７および第８のランプ表面は、前記軸から前記第４の頂点まで半径方向に延在する、第４の線に対して角度を付けて配向される、第７および第８のランプ表面と
をさらに備える、請求項２２に記載の組み合わせ。
【請求項２６】
前記第１および第３の頂点は、相互に整合され、前記第２および第４の頂点は、相互に整合される、請求項２５に記載の組み合わせ。
【請求項２７】
前記ローブと反対の外側リングの側の周囲に円周方向に延在する、リムであって、前記リムは、前記軸から離れるように面し、前記外側リングの外側表面からオフセットされる、外側表面を有する、リムと、
前記リムの外側表面上に相互に隣接して位置付けられる、第９および第１０のランプ表面であって、前記第９および第１０のランプ表面は、前記リムの外側表面から突出する第５の頂点に沿って連続的であり、前記第９および第１０のランプ表面は、前記軸から前記第５の頂点まで半径方向に延在する、第５の線に対して角度を付けて配向される、第９および第１０のランプ表面と、
前記リムの外側表面上に相互に隣接して位置付けられる、第１１および第１２のランプ表面であって、前記第１１および第１２のランプ表面は、前記リムの外側表面から突出する第６の頂点に沿って連続的であり、前記第１１および第１２のランプ表面は、前記軸から前記第６の頂点まで半径方向に延在する、第６の線に対して角度を付けて配向される、第１１および第１２のランプ表面と、
をさらに備え、
前記第５および第６の頂点は、相互に正反対である、請求項２５に記載の組み合わせ。
【請求項２８】
前記第３および第５の頂点は、前記第１の頂点と整合され、前記第４および第６の頂点は、前記第２の頂点と整合される、請求項２７に記載の組み合わせ。
【請求項２９】
前記リングと前記軸との間に位置付けられる、弁体と、
前記弁体内に位置付けられる、弁閉鎖部材であって、前記弁閉鎖部材は、閉鎖位置と開放位置との間で移動可能である、弁閉鎖部材と、
前記弁閉鎖部材に取り付けられ、前記区画のうちの１つを通して延在する、弁軸と
をさらに備える、請求項２７に記載の組み合わせ。
【請求項３０】
前記外側リングと前記軸との間に位置付けられる、内側リングであって、前記内側リングは、前記外側リングと前記ローブとの間に取り付けられ、前記軸と垂直に配向される対向して面する表面を画定し、前記対向して面する表面のうちの一方は、前記パイプ要素のうちの１つの端部と係合可能であって、前記対向して面する表面のうち他方は、前記弁体と係合可能である、内側リング
をさらに備える、請求項２９に記載の組み合わせ。
【請求項３１】
前記外側リングと前記軸との間に位置付けられる、内側リングであって、前記内側リングは、前記ローブに取り付けられ、前記軸と垂直に配向される対向して面する表面を画定し、前記対向して面する表面のうちの一方は、前記パイプ要素のうちの１つの端部と係合可能であり、前記対向して面する表面のうち他方は、前記弁体と係合可能である、内側リング
をさらに備える、請求項２９に記載の組み合わせ。
【請求項３２】
前記複数の区画は、２つ以下の前記区画を含み、前記区画はそれぞれ、
前記両端間に延在する、後壁であって、前記後壁は、前記軸に面する内側表面を有する、後壁と、
前記区画の両端における前記後壁の内側表面上に位置付けられる、第１および第２の角度を付けて配向された表面と
を備える、請求項２２に記載の組み合わせ。
【発明の詳細な説明】
【技術分野】
【０００１】
（関連出願の相互参照）
本願は、２０１５年１１月２３日に出願された米国仮出願第６２／２５８，７９７号に基づいており、該米国仮出願に対する優先権を主張するものであり、該米国仮出願は、参照により本明細書中に援用される。
【０００２】
本発明は、機械的カップリングおよび機械的カップリングを組み込む弁等、流体制御デバイスのためのシールに関する。
【背景技術】
【０００３】
従来技術による機械的パイプカップリングは、端間継合され、パイプ要素間に液密継手を形成するシールを囲繞する、複数の区画を備える。リングシールは、区画の内側表面に係合する、外周表面を有する。ローブが、リングシールの両側に位置付けられる。ローブは、パイプ要素に係合する、半径方向に面するシール表面を有する。リングシールは、区画とパイプ要素との間に圧縮され、液密継手をもたらす。区画が相互に向かって牽引され、シールをパイプ要素に対して圧縮すると、区画は、区画間の界面にシールを挟み込ませる、および／またはそこに望ましくないシールの歪曲を生じさせ得る。これは、シールを損傷させ、漏出または不良圧力性能をもたらし得る。明らかに、機械的カップリングを使用したパイプ継手の形成の間、シールの挟込を回避または軽減することに利点がある。
【発明の概要】
【課題を解決するための手段】
【０００４】
本発明は、シールに関する。一例示的実施形態では、シールは、外側リングと同軸方向に配向される軸を囲繞する、外側リングを備える。外側リングは、軸から離れるように面する外側表面を有する。第１および第２のランプ表面は、外側表面上に相互に隣接して位置付けられる。第１および第２のランプ表面は、外側表面から外向きに突出する第１の頂点に沿って連続的である。第１および第２のランプ表面は、軸から第１の頂点まで半径方向に延在する第１の線に対して角度を付けて配向される。
【０００５】
例示的実施形態はさらに、外側表面上に相互に隣接して位置付けられる、第３および第４のランプ表面を備える。第３および第４のランプ表面は、外側表面から外向きに突出する第２の頂点に沿って連続的である。第３および第４のランプ表面は、軸から第２の頂点まで半径方向に延在する第２の線に対して角度を付けて配向される。例示的実施形態では、第１および第２の頂点は、相互に正反対である。例示的実施形態はさらに、外側リングの第１の側の周囲に円周方向に延在する、ローブを備える。ローブは、軸から離れるように面する外側表面と、軸に向かって面するシール表面とを有する。例示的実施形態はさらに、ローブの外側表面上に相互に隣接して位置付けられる、第５および第６のランプ表面を備える。第５および第６のランプ表面は、ローブの外側表面から突出する第３の頂点に沿って連続的である。第５および第６のランプ表面は、軸から第３の頂点まで半径方向に延在する、第３の線に対して角度を付けて配向される。具体的例示的実施形態では、第１および第３の頂点は、相互に整合される。
【０００６】
例示的実施形態はさらに、ローブの外側表面上に相互に隣接して位置付けられる、第７および第８のランプ表面を備える。第７および第８のランプ表面は、ローブの外側表面から突出する第４の頂点に沿って連続的である。第７および第８のランプ表面は、軸から第４の頂点まで半径方向に延在する第４の線に対して角度を付けて配向される。具体的例示的実施形態では、第２および第４の頂点は、相互に整合される。
【０００７】
例示的実施形態はさらに、ローブと反対の外側リングの側の周囲に円周方向に延在する、リムを備える。リムは、軸から離れるように面し、外側リングの外側表面からオフセットされる、外側表面を有する。第９および第１０のランプ表面は、リムの外側表面上に相互に隣接して位置付けられる。第９および第１０のランプ表面は、リムの外側表面から突出する第５の頂点に沿って連続的である。第９および第１０のランプ表面は、軸から第５の頂点まで半径方向に延在する第５の線に対して角度を付けて配向される。
【０００８】
さらなる例示的実施形態は、リムの外側表面上に相互に隣接して位置付けられる、第１１および第１２のランプ表面を備える。第１１および第１２のランプ表面は、リムの外側表面から突出する第６の頂点に沿って連続的である。第１１および第１２のランプ表面は、軸から第６の頂点まで半径方向に延在する第６の線に対して角度を付けて配向される。具体的例示的実施形態では、第５および第６の頂点は、相互に正反対である。特定の例示的実施形態では、第５の頂点は、第１の頂点と整合され、第６の頂点は、第２の頂点と整合される。
【０００９】
別の例示的実施形態は、外側リングと軸との間に位置付けられる、内側リングを備える。内側リングは、外側リングとローブとの間に取り付けられ、軸と垂直に配向される対向して面する表面を画定する。例示的実施形態はさらに、外側リングと軸との間に位置付けられる、内側リングを備える。内側リングは、ローブに取り付けられ、軸と垂直に配向される対向して面する表面を画定する。
【００１０】
本発明はまた、外側リングと同軸方向に配向される軸を囲繞する、外側リングを備える、シールを包含する。外側リングは、軸から離れるように面する外側表面を有する。第１および第２のランプ表面は、外側表面上に相互に隣接して位置付けられる。第１および第２のランプ表面は、外側表面から外向きに突出する第１の頂点に沿って連続的である。第１および第２のランプ表面は、軸から第１の頂点まで半径方向に延在する第１の線に対して角度を付けて配向される。第３および第４のランプ表面は、外側表面上に相互に隣接して位置付けられる。第３および第４のランプ表面は、外側表面から外向きに突出する第２の頂点に沿って連続的である。第３および第４のランプ表面は、軸から第２の頂点まで半径方向に延在する第２の線に対して角度を付けて配向される。第１および第２の頂点は、具体的例示的実施形態では、相互に正反対である。
【００１１】
別の例示的実施形態は、外側リングの第１の側の周囲に円周方向に延在する、ローブを備える。ローブは、軸から離れるように面する外側表面と、軸に向かって面するシール表面とを有する。第５および第６のランプ表面は、ローブの外側表面上に相互に隣接して位置付けられる。第５および第６のランプ表面は、ローブの外側表面から突出する第３の頂点に沿って連続的である。第５および第６のランプ表面は、軸から第３の頂点まで半径方向に延在する、第３の線に対して角度を付けて配向される。第７および第８のランプ表面は、ローブの外側表面上に相互に隣接して位置付けられる。第７および第８のランプ表面は、ローブの外側表面から突出する第４の頂点に沿って連続的である。第７および第８のランプ表面は、軸から第４の頂点まで半径方向に延在する第４の線に対して角度を付けて配向される。
【００１２】
例示的実施形態では、第１および第３の頂点は、相互に整合され、第２および第４の頂点は、相互に整合される。別の例示的実施形態は、ローブと反対の外側リングの側の周囲に円周方向に延在する、リムを備える。リムは、軸から離れるように面し、外側リングの外側表面からオフセットされる、外側表面を有する。第９および第１０のランプ表面は、リムの外側表面上に相互に隣接して位置付けられる。第９および第１０のランプ表面は、リムの外側表面から突出する第５の頂点に沿って連続的である。第９および第１０のランプ表面は、軸から第５の頂点まで半径方向に延在する第５の線に対して角度を付けて配向される。第１１および第１２のランプ表面は、リムの外側表面上に相互に隣接して位置付けられる。第１１および第１２のランプ表面は、リムの外側表面から突出する第６の頂点に沿って連続的である。第１１および第１２のランプ表面は、軸から第６の頂点まで半径方向に延在する第６の線に対して角度を付けて配向される。第５および第６の頂点は、具体的例示的実施形態では、相互に正反対である。さらなる例示的実施形態では、第３および第５の頂点は、第１の頂点と整合され、第４および第６の頂点は、第２の頂点と整合される。
【００１３】
さらなる例示的実施形態は、外側リングと軸との間に位置付けられる、内側リングを備える。内側リングは、外側リングとローブとの間に取り付けられ、軸と垂直に配向される対向して面する表面を画定する。例示的実施形態はさらに、外側リングと軸との間に位置付けられる、内側リングを備える。内側リングは、ローブに取り付けられ、軸と垂直に配向される対向して面する表面を画定する。
【００１４】
本発明はさらに、組み合わせにおける、パイプ要素を継合するためのシールおよびカップリングを包含する。一例示的実施形態では、シールは、外側リングと同軸方向に配向される軸を囲繞する、外側リングを備える。外側リングは、軸から離れるように面する外側表面を有する。第１および第２のランプ表面は、外側表面上に相互に隣接して位置付けられる。第１および第２のランプ表面は、外側表面から外向きに突出する第１の頂点に沿って連続的である。第１および第２のランプ表面は、軸から第１の頂点まで半径方向に延在する第１の線に対して角度を付けて配向される。第３および第４のランプ表面は、外側表面上に相互に隣接して位置付けられる。第３および第４のランプ表面は、外側表面から外向きに突出する第２の頂点に沿って連続的である。第３および第４のランプ表面は、軸から第２の頂点まで半径方向に延在する第２の線に対して角度を付けて配向される。第１および第２の頂点は、例示的実施形態では、相互に正反対である。例示的実施形態では、カップリングは、相互の端間に取り付けられ、シールを囲繞する、複数の区画を備える。各区画は、両端に位置する取付部材を有する。各区画は、パイプ要素との係合のために、その両側上に位置付けられる弧状表面を有する。
【００１５】
具体的例示的実施形態では、取付部材は、各区画の両端から外向きに延在する、つまみを備える。各つまみは、締結具を受容するための孔を画定する。一例として、弧状表面は、区画から半径方向に軸に向かって突出する。
【００１６】
例示的実施形態では、組み合わせはさらに、外側リングの第１の側の周囲に円周方向に延在する、ローブを備える。ローブは、パイプ要素のうちの１つとの係合のために、軸から離れるように面する外側表面と、軸に向かって面するシール表面とを有する。第５および第６のランプ表面は、ローブの外側表面上に相互に隣接して位置付けられる。第５および第６のランプ表面は、ローブの外側表面から突出する第３の頂点に沿って連続的である。第５および第６のランプ表面は、軸から第３の頂点まで半径方向に延在する、第３の線に対して角度を付けて配向される。第７および第８のランプ表面は、ローブの外側表面上に相互に隣接して位置付けられる。第７および第８のランプ表面は、ローブの外側表面から突出する第４の頂点に沿って連続的である。第７および第８のランプ表面は、軸から第４の頂点まで半径方向に延在する第４の線に対して角度を付けて配向される。
【００１７】
特定の例示的実施形態では、第１および第３の頂点は、相互に整合され、第２および第４の頂点は、相互に整合される。一例として、組み合わせはさらに、ローブと反対の外側リングの側の周囲に円周方向に延在する、リムを備える。リムは、軸から離れるように面し、外側リングの外側表面からオフセットされる、外側表面を有する。第９および第１０のランプ表面は、リムの外側表面上に相互に隣接して位置付けられる。第９および第１０のランプ表面は、リムの外側表面から突出する第５の頂点に沿って連続的である。第９および第１０のランプ表面は、軸から第５の頂点まで半径方向に延在する第５の線に対して角度を付けて配向される。第１１および第１２のランプ表面は、リムの外側表面上に相互に隣接して位置付けられる。第１１および第１２のランプ表面は、リムの外側表面から突出する第６の頂点に沿って連続的である。第１１および第１２のランプ表面は、軸から第６の頂点まで半径方向に延在する第６の線に対して角度を付けて配向される。具体的実施形態では、第５および第６の頂点は、相互に正反対である。さらなる例示的実施形態では、第３および第５の頂点は、第１の頂点と整合され、第４および第６の頂点は、第２の頂点と整合される。
【００１８】
別の例示的実施形態は、リングと軸との間に位置付けられる、弁体を備える。弁閉鎖部材は、弁体内に位置付けられる。弁閉鎖部材は、閉鎖位置と開放位置との間で移動可能である。弁軸は、例示的実施形態では、弁閉鎖部材に取り付けられ、区画のうちの１つを通して延在する。
【００１９】
別の例示的実施形態は、外側リングと軸との間に位置付けられる、内側リングを備える。内側リングは、外側リングとローブとの間に取り付けられ、軸と垂直に配向される対向して面する表面を画定する。対向して面する表面のうちの一方は、パイプ要素のうちの１つの端部と係合可能であって、対向して面する表面の他方は、弁体と係合可能である。例示的実施形態では、内側リングは、外側リングと軸との間に位置付けられる。内側リングは、該ローブに取り付けられ、軸と垂直に配向される対向して面する表面を画定する。対向して面する表面のうちの一方は、パイプ要素のうちの１つの端部と係合可能である。対向して面する表面の他方は、弁体と係合可能である。
【００２０】
具体的例示的実施形態では、複数の区画は、２つ以下の区画を含む。さらなる実施例として、区画はそれぞれ、両端間に延在する後壁を備える。後壁は、軸に面する内側表面を有する。第１および第２の角度を付けて配向された表面は、区画の両端において後壁の内側表面上に位置付けられる。
【図面の簡単な説明】
【００２１】
【図１】図１は、本発明による弁カップリングの例示的実施形態の等角図であって、弁カップリングは、事前に組み立てられた状態で示される。
【図２】図２は、図１の弁カップリングと併用される、例示的弁体の等角図である。
【図３】図３は、図１に示される弁カップリングの縦断面図である。
【図４】図４は、本発明による例示的シールの等角図であって、図４Ａ−４Ｄは、図４に示される例示的シールの一部の軸方向図であって、図４Ｅは、図４の線４Ｅ−４Ｅにおいて得られた断面図である。
【図５】図５は、本発明による例示的シールの等角図であって、図５Ａ−５Ｆは、図４に示される例示的シールの一部の軸方向図であって、図５Ｇは、図５の線５Ｇ−５Ｇにおいて得られた断面図である。
【図６】図６および７は、図１の例示的シールを使用するパイプ要素間の継手の形成を描写する、縦断面図である。
【図７】図６および７は、図１の例示的シールを使用するパイプ要素間の継手の形成を描写する、縦断面図である。
【図８】図８は、事前に組み立てられた状態における、図１に示される弁カップリングの軸方向図である。
【図９】図９は、使用時の図１に示される弁カップリングの軸方向図である。
【図１０】図１０および１１は、それぞれ、図１および９に示される例示的弁カップリングの部分断面図である。
【図１１】図１０および１１は、それぞれ、図１および９に示される例示的弁カップリングの部分断面図である。
【図１２】図１２は、本発明による例示的シールを使用するカップリングの例示的実施形態の軸方向図である。
【図１３】図１３は、図１２に示されるカップリングおよびシールの分解等角図である。
【発明を実施するための形態】
【００２２】
図１は、以降、弁カップリングと称される、組み合わせ弁および機械的カップリング１０の例示的実施形態を示す。弁カップリング１０は、相互の端間に取り付けられる複数の区画（本実施例では、２つの区画１２および１４）を備え、中心空間１６を囲繞および画定する。区画１２および１４の取付は、各区画の各端部に位置する、調節可能取付部材１８によってもたらされる。本実施例では、取付部材は、区画１２および１４から外向きに延在する、つまみ２０を備え、つまみは、ボルト２４およびナット２６等の調節可能締結具を受容する、孔２２を画定する。ナット２６の緊締は、以下に説明されるように、区画１２および１４を相互に向かって牽引する。
【００２３】
区画１２および１４はそれぞれ、区画の両側３０および３２に位置付けられる、弧状表面２８を有する。弧状表面２８は、中心空間１６を通して通過する、縦軸３４に面し、以下に説明されるように、それらが、区画１２と１４との間、かつ中心空間１６の中に挿入されると、パイプ要素と係合可能である。示されるように、弧状表面２８は、軸３４に向かって突出し、取付部材１８の緊締に応じて、パイプ要素内の円周方向溝に係合し、機械的係合を提供し、パイプ要素を端間関係に固着し、継手を形成する、「楔」として知られる、突起を備えてもよい。楔はまた、当技術分野において公知のように、単純端、すなわち、ショルダおよび／またはビードを有する端部を有する、パイプ要素に係合してもよい。
【００２４】
図１および２は、中心空間１６内に位置付けられ、区画１２と１４との間に捕捉される、弁体３６を示す。弁体３６は、弁閉鎖部材、本実施例では、ディスク４０が、移動可能に搭載される、円筒形筐体３８を備える。図３に示されるように、ディスク４０は、弁軸４２および４４上に回転可能に搭載され、開放位置と閉鎖位置との間で筐体３８内で移動可能である。弁軸４２および４４は、筐体３８から延在し、弁軸のための軸受を備える、個別の弁覆い４６および４８内に受容される。弁覆い４６および４８は、順に、区画１２および１４内の個別の開口部５０ならびに５２を通して延在する。弁覆い４６および４８と区画１２ならびに１４の係合（弁覆いが区画を通して突出する）は、弁体３６を中心空間１６内に安定化させることに役立つ。図３に示されるように、シール５４は、筐体３８内に搭載される。シール５４は、中心空間１６を囲繞し、ディスクが閉鎖位置にあるとき、筐体３８とディスク４０との間にシールを提供する。
【００２５】
それぞれ、図４および５に示される、付加的シール５６および５８が、図３に示されるように、区画１２および１４と弁体３６との間に位置付けられる。シール５６および５８は、取付部材１８を緊締し、区画を相互に向かって牽引し、パイプ要素に係合することによって、継手が生成されると、区画１２と１４、弁体３６、およびパイプ要素間にシールを確立する。
【００２６】
図４に示されるように、シール５６は、軸３４を囲繞し、外側リングと同軸方向に配向される、外側リング６０を備える。外側リング６０は、軸３４から離れるように面する、外側表面６２を有する。第１および第２のランプ表面６４ならびに６６は、外側表面６０上に相互に隣接して位置付けられる。ランプ表面６４および６６は、軸３４と平行に延在し、外側表面６２から外向きに突出する、第１の頂点６８に沿って連続的である。図４Ａに示されるように、ランプ表面６４および６６は、軸３４から頂点６８まで半径方向に延在する、第１の線７０に対して角度を付けて配向される。約４５°〜約９０°の配向角度７２が、実行可能であって、約８０°の配向角度が、以下に説明されるように、有利であると考えられる。
【００２７】
図４Ｃに示されるように、例示的シール５６はまた、外側表面６０上に相互に隣接して位置付けられる、第３および第４のランプ表面７４ならびに７６を有してもよい。ランプ表面７４および７６は、軸３４と平行に延在し、外側表面６２から外向きに突出する、第２の頂点７８に沿って連続的である。ランプ表面７４および７６は、軸３４から頂点７８まで半径方向に延在する、第２の線８０に対して角度を付けて配向される。約４５°〜約９０°の配向角度８２が、実行可能であって、約８０°の配向角度が、有利であると考えられる。本例示的実施形態では、第１および第２の頂点６８ならびに７８は、図４に示されるように、外側リング６０上で相互に正反対である。
【００２８】
図４および４Ｅに示されるように、シール５６はさらに、ローブ８４を備えてもよい。ローブ８４は、外側リング６０の第１の側８６の周囲に円周方向に延在する。ローブ８４は、軸３４から離れるように面する外側表面８８と、軸３４に向かって面するシール表面９０とを有する。以下に説明されるように、シール表面９０は、弁カップリング１０によって接続されるパイプ要素にシール係合する。図４および４Ｂに示されるように、第５および第６のランプ表面９２ならびに９４は、ローブ８４の外側表面８８上に相互に隣接して位置付けられてもよい。ランプ表面９２および９４は、ローブ８４の外側表面８８から突出する第３の頂点９６に沿って連続的である。ランプ表面９２および９４は、軸３４から第３の頂点まで延在する、第３の線９８に対して角度を付けて配向される。約４５°〜約９０°の配向角度１００が、実行可能であって、約７４°の配向角度が、有利であると考えられる。
【００２９】
例示的シール５６はまた、ローブ８４の外側表面８８上に相互に隣接して位置付けられる、第７および第８のランプ表面１０２ならびに１０４を有してもよい。図４および４Ｄに示されるように、ランプ表面１０２および１０４は、外側表面８８から外向きに突出する第４の頂点１０６に沿って連続的である。ランプ表面１０２および１０４は、軸３４から頂点１０６まで半径方向に延在する、第４の線１０８に対して角度を付けて配向される。約４５°〜約９０°の配向角度１１０が、実行可能であって、約７４°の配向角度が、有利であると考えられる。本例示的実施形態では、図４に示されるように、第３および第４の頂点９６ならびに１０６は、ローブ８４上で相互に正反対である。さらに本実施例では、第１および第３の頂点６８ならびに９６は、軸３４に沿って相互に整合され、第２および第４の頂点７８ならびに１０６は、軸３４に沿って相互に整合される。
【００３０】
図４Ｅに示されるように、シール５６はさらに、外側リング６０と軸３４との間に位置付けられる、内側リング１１２を備えてもよい。内側リング１１２は、外側リング６０とローブ８４との間のシール５６に取り付けられ、対向して面する表面１１４および１１６を画定する。
【００３１】
図５に示されるように、シール５８は、軸３４を囲繞し、外側リングと同軸方向に配向される、外側リング６１を備える。外側リング６１は、軸３４から離れるように面する、外側表面６３を有する。図５および５Ａに示されるように、第１および第２のランプ表面６５ならびに６７は、外側表面６１上に相互に隣接して位置付けられる。ランプ表面６５および６７は、軸３４と平行に延在し、外側表面６３から外向きに突出する、第１の頂点６９に沿って連続的である。ランプ表面６５および６７は、軸３４から頂点６９まで半径方向に延在する、第１の線７１に対して角度を付けて配向される。約４５°〜約９０°の配向角度７３が、実行可能であって、約７４°の配向角度が、以下に説明されるように、有利であると考えられる。
【００３２】
図５および５Ｄに示されるように、例示的シール５８はまた、外側表面６１上に相互に隣接して位置付けられる、第３および第４のランプ表面７５ならびに７７を有してもよい。ランプ表面７５および７７は、軸３４と平行に延在し、外側表面６３から外向きに突出する、第２の頂点７９に沿って連続的である。ランプ表面７５および７７は、軸３４から頂点７９まで半径方向に延在する、第２の線８１に対して角度を付けて配向される。約４５°〜約９０°の配向角度８３が、実行可能であって、約７４°の配向角度が、有利であると考えられる。本例示的実施形態では、第１および第２の頂点６９ならびに７９は、図５に示されるように、外側リング６１上で相互に正反対である。
【００３３】
図５および５Ｇに示されるように、シール５８はさらに、ローブ８５を備えてもよい。ローブ８５は、外側リング６１の第１の側８７の周囲に円周方向に延在する。ローブ８５は、軸３４から離れるように面する外側表面８９と、軸３４に向かって面するシール表面９１とを有する。以下に説明されるように、シール表面９１は、弁カップリング１０によって接続されるパイプ要素にシール係合する。図５および５Ｂに示されるように、第５および第６のランプ表面９３ならびに９５は、ローブ８５の外側表面８９上に相互に隣接して位置付けられてもよい。ランプ表面９３および９５は、ローブ８５の外側表面８９から突出する第３の頂点９７に沿って連続的である。ランプ表面９３および９５は、軸３４から第３の頂点９７まで延在する、第３の線９９に対して角度を付けて配向される。約４５°〜約９０°の配向角度１０１が、実行可能であって、約７４°の配向角度が、有利であると考えられる。
【００３４】
図５および５Ｅに示されるように、例示的シール５８はまた、ローブ８５の外側表面８９上に相互に隣接して位置付けられる、第７および第８のランプ表面１０３ならびに１０５を有してもよい。ランプ表面１０３および１０５は、外側表面８９から外向きに突出する、第４の頂点１０７に沿って連続的である。ランプ表面１０３および１０５は、軸３４から頂点１０７まで半径方向に延在する、第４の線１０９に対して角度を付けて配向される。約４５°〜約９０°の配向角度１１１が、実行可能であって、約７４°の配向角度が、有利であると考えられる。本例示的実施形態では、第３および第４の頂点９７ならびに１０７は、図５に示されるように、ローブ８５上で相互に正反対である。さらに本実施例では、第１および第３の頂点６９ならびに９７は、軸３４に沿って相互に整合され、第２および第４の頂点７９ならびに１０７は、軸３４に沿って相互に整合される。
【００３５】
図５Ｇに示されるように、シール５８はさらに、外側リング６１と軸３４との間に位置付けられる、内側リング１１３を備えてもよい。内側リング１１３は、ローブ８５に取り付けられ、対向して面する表面１１５および１１７を画定する。
【００３６】
図５および５Ｇにさらに示されるように、シール５８はさらに、ローブ８５と反対の外側リング６１の第２の側１２０の周囲に円周方向に延在する、リム１１８を備えてもよい。リム１１８は、軸３４から離れるように面し、外側リング６１の外側表面６３からオフセットされる、外側表面１２２を有する。図５および５Ｃに示されるように、第９および第１０のランプ表面１２４ならびに１２６は、リム１１８の外側表面１２２上に相互に隣接して位置付けられてもよい。ランプ表面１２４および１２６は、リム１１８の外側表面１２２から突出する、第５の頂点１２８に沿って連続的である。ランプ表面１２４および１２６は、軸３４から頂点１２８まで半径方向に延在する、第５の線１３０に対して角度を付けて配向される。約４５°〜約９０°の配向角度１２７が、実行可能であって、約８０°の配向角度が、有利であると考えられる。図５および５Ｆに示されるように、第１１および第１２のランプ表面１３２ならびに１３４はまた、リム１１８の外側表面１２２上に相互に隣接して位置付けられてもよい。ランプ表面１３２および１３４は、リム１１８の外側表面１２２から突出する、第６の頂点１３６に沿って連続的である。ランプ表面１３２および１３４は、軸３４から半径方向に延在する、第６の線１３８に対して角度を付けて配向される。約４５°〜約９０°の配向角度１３７が、実行可能であって、約８０°の配向角度が、有利であると考えられる。本実施例では、図５に示されるように、第５および第６の頂点１２８ならびに１３６は、相互に正反対である。第５の頂点１２８は、第１の頂点６９と整合し、第６の頂点１３６は、第２の頂点７９と整合する。
【００３７】
使用時、図６に示されるように、弁カップリング１０は、事前に組み立てられた状態（また、図１参照）において提供され、区画１２および１４は、弁カップリング１０を分解せずに、中心空間１６の中へのパイプ要素の挿入を可能にするために十分な離間関係で位置付けられる。パイプ要素１４０および１４２は、次いで、区画１２と１４との間の中心空間１６の中に挿入され、シール５６および５８と個別に係合する。本実施例では、パイプ要素は、区画の両側３０および３２上にアレイにされた突出する楔１４６上の弧状表面２８を受容する、円周方向溝１４４を有する。図７に示されるように、取付部材１８（また、図１参照）が、緊締され、区画１２および１４を相互に向かって、パイプ要素１４０および１４２と係合するように牽引し、楔１４６は、パイプ要素内の円周方向溝１４４に係合する。区画１２および１４が相互に向かって牽引されるにつれて、シール５６および５８は、区画間に圧縮され、弁体３６およびパイプ要素１４０ならびに１４２は、液密継手を形成する。ローブシール表面９０は、パイプ要素１４０に係合し、ローブシール表面９１は、パイプ要素１４２に係合し、パイプ要素１４０の端部は、表面１１４に係合し、パイプ要素１４２の端部は、表面１１５に係合する。
【００３８】
シール５６および５８は、区画１２および１４が相互に向かって牽引され、継手を形成するにつれて、均一に圧縮されない。図６および８を参照して説明されるように、ランプ表面６４、６６、７４、７６、９２、９６、１２４、１２６、１３２、および１３４のうちの１つまたはそれを上回るものの不在下、区画１２の後壁１４８の内側表面は、弁カップリング１０が、それぞれ、１２および６時位置において、弁軸４２および４４と軸方向に視認されると、最初に、それぞれ、約１０時および２時位置において略半径方向に指向される線１５０、１５２に沿って、シール５６および５８に接触するであろう。同様に、区画１４の後壁１５４の内側表面は、最初に、それぞれ、８時および４時位置における半径方向に指向される線１５６および１５８に沿って、シール５６および５８に接触するであろう。取付部材１８がさらに緊締され、区画１２および１４をさらにともに牽引する場合、後壁１４８、１５４の内側表面とシール５６、５８との間の接触線１５０および１５６は、９時位置に向かって移動し、接触線１５２および１５８は、３時位置に向かって移動するであろう（区画１２および１４上の取付部材１８間の界面に位置する３および９時位置）。後壁１４８、１５４の内側表面とシール５６および５８との間の接触は、最初に、区画１２のための１０時と２時との間および区画１４のための８時と４時との間の後壁の面積にわたって、徐々に確立されるであろう。図９に示されるように、後壁１４８および１５４の内側表面とシール５６および５８との間の略均一接触は、いったん接触が１２および６時場所において行われると、確立されるであろう。
【００３９】
区画１２および１４が、ランプ表面６４、６６、７４、７６、９２、９６、１２４、１２６、１３２、および１３４のうちの１つまたはそれを上回るものの不在でともに牽引される場合、接触線１５０、１５６および１５２、１５８は、それぞれ、９時および３時位置に向かって移動し、それに応じて、いくつかの要因が、シール５６および５８を３ならびに９時位置において区画１２と１４との間に挟み込ませ得る。例えば、後壁１４８および１５４の内側表面とシール５６および５８との間の摩擦が、挟込を生じさせ得る。挟込はまた、シールが、区画１２および１４が、それらが相互に牽引されるにつれて、それらに沿って乗設されるにつれて、卵形形状に歪曲されるときにも生じ得る。挟込は、シール５６および５８の一方または両方を損傷させ、液密継手の形成を妨害し、シールの交換ならびに継手の分解および再組立を余儀なくし得る。挟込を軽減またはさらに回避するために、図４および５に示され、上記に説明されるように、ランプ表面６４、６６、７４、７６、９２、９６、１２４、１２６、１３２、および１３４のうちの１つまたはそれを上回るものをシール５６および５８の外側表面上に位置付けることが有利である。図４に示されるように、ランプ表面は、有利には、シール５６上に相互に正反対に対で位置付けられ、図８に示されるように、シール５６が区画１２と１４との間に据え付けられるとき、頂点６８および９６（存在するとき）が、弁カップリング１０の９時位置に位置付けられ、頂点７８および１０６（存在するとき）が、３時位置に位置付けられることを可能にする。同様に、図５に示されるように、ランプ表面は、有利には、シール５８上に相互に正反対に対で位置付けられ、シール５８が区画１２と１４との間に据え付けられると、頂点６９、９７（存在するとき）、および１２８（存在するとき）が、弁カップリング１０の９時位置に位置付けられ、頂点７９、１０７（存在するとき）、および１３４（存在するとき）が、３時位置に位置付けられることを可能にする。ランプ表面は、区画１２および１４が相互に向かって牽引されるにつれて、後壁１４８、１５４の内側表面とシール５６および５８の外側表面６２、６１との間の初期接触を３つおよび９時位置により近づけ、区画とシールとの間の接線力の成分を半径方向内向きに再指向する、角度を付けて配向された係合表面を提供する。（同じことは、他のランプ表面９２、９４、１０２、１０４、１２４、１２６、１３４、１３６にも当てはまる。）本力の再指向は、シール５６および５８がそれらがともに牽引されるにつれて区画１２と１４との間に挟み込まれる傾向を低減させる。本作用は、区画１２および１４がともに牽引されるつれての弁カップリング１０を示す、図８および９に図示される。区画１２および１４とシール５６ならびに５８との間の９時および３時位置に作用する接線力１６０は、ランプ表面（例えば、ランプ６４および６６、７４および７６）に沿った力１６２と、それに垂直な力１６４に分解される。このような力の分解は、初期接触を３および９時位置により近づけさせるランプの傾向とともに、シール５６および５８の区画１２と１４との間への挟込の傾向を低減させる。さらなる利点は、ランプ表面がまた、３つおよび９時位置において区画１２ならびに１４によってシール５６および５８上に付与される圧縮力を増加させるため実現される。ランプ表面の不在下では、区画１２および１４とシール５６および５８との間の圧縮力は、１２または６時位置から３および９時位置に進むにつれて降下する。これは、力が１２および６時に略半径方向に指向されるが、３および９時において略接線であるためである。区画１２および１４とシール５６ならびに５８との間の接触力を再指向することによって、ランプ表面は、シールの本非均一圧縮を補償する。
【００４０】
図９は、据付に応じた弁カップリング１０の最終構成を示し、パイプ要素は、明確にするために示されない。本例示的実施形態では、接続部材１８は、弁カップリング１０が適切に据え付けられると、「パッド間」係合として知られるものを満たすことに留意されたい。本設計は、容易な視覚的点検を可能にし、適切な据付を確認し、ボルト２４を具体的トルク値まで緊締する必要を排除するため、有利であるが、当技術分野において公知の接続部材の他のスタイルの界面も、使用されてもよい。そのようなスタイルは、実接ぎ界面、すなわち、接続部材が接触せず、代わりに、ボルトまたは他の手段を通して接続部材に付与される規定された量のトルクに依拠し、弁カップリングをその最終構成に維持する、界面を含む。
【００４１】
図４および５に示されるように、シール５６および５８の外側表面上の角度を付けて配向されたランプ表面６４、６６、７４、７６、９２、９６、１２４、１２６、１３２、および１３４は、多数の利点を提供する。例えば、ランプ表面を角度を付けて配向することは、弁カップリングが事前に組み立てられたにあるとき、隙間をシール５６および５８と区画１２ならびに１４との間に提供する（図１参照）。典型的には、事前に組み立てられた弁カップリングでは、３時および９時面積の近傍の区画とシールとの間の干渉は、シールを内向きに半径方向に圧潰させ、それを円ではなくする。円ではないシールは、据付の間、パイプ要素に干渉し得る。ランプ表面は、本潜在的問題を軽減することに役立つ。加えて、図１０および１１に示されるように、ランプ表面は、区画１２および１４上の合致する角度付けられた表面１６６との係合を介して、シール５６および５８（５６が示される）の漸次的圧縮を提供する。区画１２および１４が相互に向かって牽引され、パイプ継手を形成するにつれて、角度付けられた表面１６６は、ランプ表面に接触し、３および９時位置において、シール５６および５８（５６が示される）を半径方向に圧縮する。典型的には、ランプおよび角度付けられた表面を伴わない、区画とシールとの間の初期接触は、点または線接触となり、これは、区画間へのシールの挟込につながり得る。
【００４２】
区画の具体的幾何学形状に応じて、３および９時位置においてシール上で均一圧縮を達成することが不可能であり得る。均一圧縮の欠如は、より低い最大圧力をもたらし、制限された熱動作範囲に限定する、またはシール圧縮の増加を要求し得、これは、他の面積における過圧縮をもたらし得る。ランプ表面と角度付けられた表面１６６の係合を介した３および９時位置におけるシールの圧縮は、必要とされる場所において付加的シール圧縮を正確に提供する。
【００４３】
ランプ表面を有する、シール５６および５８が、弁カップリングと併用されて図示されたが、本発明によるシールが、同一利点を弁を組み込まない機械的カップリングにも提供するであろうことは、当業者に明白となるであろう。そのようなカップリング１６８の例示的実施形態は、図１２および１３に示される。図１２は、ユーザによって受け取られるであろう、事前に組み立てられた状態におけるカップリング１６８を示す。カップリング１６８は、中心空間１７４を中心として相互の端間に取り付けられる、複数の区画、本実施例では、第１および第２の区画１７０ならびに１７２を備える。区画は、パイプ要素が中心空間１７４の中に挿入されることを可能にするために十分な離間関係で保持される（図６および７を参照して弁カップリング１０に関して説明されるように）。区画１７０および１７２の取付は、各区画の各端部に位置する調節可能取付部材１７６によってもたらされる。本実施例では、取付部材は、区画１７０および１７２から外向きに延在する、つまみ１７８を備え、つまみは、ボルト２４およびナット２６等の調節可能締結具を受容する、孔１８０を有する。ナット２６の緊締は、区画１７０および１７２を相互に向かって牽引する。
【００４４】
図１３に示されるように、区画１７０および１７２はそれぞれ、区画の両側１８４および１８６上に位置付けられる、弧状表面１８２を有する。弧状表面１８２は、以下に説明されるように、それらが、区画１２と１４との間、かつ中心空間１６の中に挿入されると、中心空間１７４を通して通過し、パイプ要素と係合可能である、縦軸１８８に面する。示されるように、弧状表面１８２は、軸１８８に向かって突出し、取付部材１７６の緊締に応じて、パイプ要素内の円周方向溝に係合し、機械的係合を提供し、パイプ要素を端間関係で固着し、継手を形成する、「楔」として知られる、突起を備えてもよい。楔はまた、当技術分野において公知のように、単純端、すなわち、ショルダおよび／またはビードを有する端部を有する、パイプ要素に係合してもよい。
【００４５】
区画は、シール１９０によって離間関係に支持される。図１３に示される例示的実施形態では、シール１９０は、シールの両側上に円周方向に延在するシール表面１９４を有する、リング１９２を備える。シール表面１９４は、それらが中心空間１７４の中に挿入されると、軸１８８に面し、パイプ要素とシール係合可能である。リング１９２はさらに、ランプ表面１９８、２００、２０２、および２０４が位置付けられる、外側表面１９６を備える。ランプ表面１９８および２００は、軸１８８から離れるように外向きに延在する、頂点２０６において連続的である。同様に、ランプ表面２０２および２０４は、軸１８８から離れるように外向きに延在する、頂点２０８において連続的である。ランプ１９８および２００ならびにその頂点２０６は、ランプ２０２および２０４ならびにその頂点２０８と正反対に位置付けられる。ランプ表面は、軸１８８から個別の頂点まで半径方向に延在する、線２１０に対して角度を付けて配向される。約４５°〜約９０°の配向角度２１２が、実行可能であって、約８０°の配向角度が、有利であると考えられる。
【００４６】
区画１７０および１７２が、組み立てられ、カップリング１６８を形成すると、シール１９０は、頂点２０６および２０８が、図１２に示されるように、取付部材１７６に隣接して３時および９時位置に来るように、区画間に位置付けられる。本位置では、弁カップリング１０に関して上記に説明されるように、ランプ１９８、２００、２０２、および２０４は、区画１７０および１７２が最初にシール（３および９時位置の近傍）に接触するであろう場所を判定し、有利には、接触力をランプ表面に法線の力成分と、ランプ表面に沿った力成分とに分解することによって、シール１９０の挟込を軽減または防止する。
（項目１）
シールであって、
外側リングであって、上記外側リングは、上記外側リングと同軸方向に配向される軸を囲繞しており、上記外側リングは、上記軸から離れるように面する外側表面を有する、外側リングと、
上記外側表面上に相互に隣接して位置付けられる、第１および第２のランプ表面であって、上記第１および第２のランプ表面は、上記外側表面から外向きに突出する第１の頂点に沿って連続的であり、上記第１および第２のランプ表面は、上記軸から上記第１の頂点まで半径方向に延在する、第１の線に対して角度を付けて配向される、第１および第２のランプ表面と
を備える、シール。
（項目２）
上記外側表面上に相互に隣接して位置付けられる、第３および第４のランプ表面であって、上記第３および第４のランプ表面は、上記外側表面から外向きに突出する第２の頂点に沿って連続的であり、上記第３および第４のランプ表面は、上記軸から上記第２の頂点まで半径方向に延在する、第２の線に対して角度を付けて配向される、第３および第４のランプ表面
をさらに備える、項目１に記載のシール。
（項目３）
上記第１および第２の頂点は、相互に正反対である、項目２に記載のシール。
（項目４）
上記外側リングの第１の側の周囲に円周方向に延在する、ローブであって、上記ローブは、上記軸から離れるように面する外側表面および上記軸に向かって面するシール表面を有する、ローブ
をさらに備える、項目３に記載のシール。
（項目５）
上記ローブの外側表面上に相互に隣接して位置付けられる、第５および第６のランプ表面であって、上記第５および第６のランプ表面は、上記ローブの外側表面から突出する第３の頂点に沿って連続的であり、上記第５および第６のランプ表面は、上記軸から上記第３の頂点まで半径方向に延在する、第３の線に対して角度を付けて配向される、第５および第６のランプ表面
をさらに備える、項目４に記載のシール。
（項目６）
上記第１および第３の頂点は、相互に整合される、項目５に記載のシール。
（項目７）
上記ローブの外側表面上に相互に隣接して位置付けられる、第７および第８のランプ表面であって、上記第７および第８のランプ表面は、上記ローブの外側表面から突出する第４の頂点に沿って連続的であり、上記第７および第８のランプ表面は、上記軸から上記第４の頂点まで半径方向に延在する、第４の線に対して角度を付けて配向される、第７および第８のランプ表面
をさらに備える、項目５に記載のシール。
（項目８）
上記第２および第４の頂点は、相互に整合される、項目７に記載のシール。
（項目９）
上記ローブと反対の外側リングの側の周囲に円周方向に延在する、リムであって、上記リムは、上記軸から離れるように面し、上記外側リングの外側表面からオフセットされる、外側表面を有する、リムと、
上記リムの外側表面上に相互に隣接して位置付けられる、第９および第１０のランプ表面であって、上記第９および第１０のランプ表面は、上記リムの外側表面から突出する第５の頂点に沿って連続的であり、上記第９および第１０のランプ表面は、上記軸から上記第５の頂点まで半径方向に延在する、第５の線に対して角度を付けて配向される、第９および第１０のランプ表面と
をさらに備える、項目７に記載のシール。
（項目１０）
上記リムの外側表面上に相互に隣接して位置付けられる、第１１および第１２のランプ表面であって、上記第１１および第１２のランプ表面は、上記リムの外側表面から突出する第６の頂点に沿って連続的であり、上記第１１および第１２のランプ表面は、上記軸から上記第６の頂点まで半径方向に延在する、第６の線に対して角度を付けて配向される、第１１および第１２のランプ表面
をさらに備える、項目９に記載のシール。
（項目１１）
上記第５および第６の頂点は、相互に正反対である、項目１０に記載のシール。
（項目１２）
上記第５の頂点は、上記第１の頂点と整合され、上記第６の頂点は、上記第２の頂点と整合される、項目１１に記載のシール。
（項目１３）
上記外側リングと上記軸との間に位置付けられる、内側リングであって、上記内側リングは、上記外側リングと上記ローブとの間に取り付けられ、上記軸と垂直に配向される対向して面する表面を画定する、内側リング
をさらに備える、項目４に記載のシール。
（項目１４）
上記外側リングと上記軸との間に位置付けられる、内側リングであって、上記内側リングは、上記ローブに取り付けられ、上記軸と垂直に配向される対向して面する表面を画定する、内側リング
をさらに備える、項目４に記載のシール。
（項目１５）
シールであって、
外側リングであって、上記外側リングは、上記外側リングと同軸方向に配向される軸を囲繞しており、上記外側リングは、上記軸から離れるように面する外側表面を有する、外側リングと、
上記外側表面上に相互に隣接して位置付けられる、第１および第２のランプ表面であって、上記第１および第２のランプ表面は、上記外側表面から外向きに突出する第１の頂点に沿って連続的であり、上記第１および第２のランプ表面は、上記軸から上記第１の頂点まで半径方向に延在する、第１の線に対して角度を付けて配向される、第１および第２のランプ表面と、
上記外側表面上に相互に隣接して位置付けられる、第３および第４のランプ表面であって、上記第３および第４のランプ表面は、上記外側表面から外向きに突出する第２の頂点に沿って連続的であり、上記第３および第４のランプ表面は、上記軸から上記第２の頂点まで半径方向に延在する、第２の線に対して角度を付けて配向される、第３および第４のランプ表面と
を備え、
上記第１および第２の頂点は、相互に正反対である、シール。
（項目１６）
上記外側リングの第１の側の周囲に円周方向に延在する、ローブであって、上記ローブは、上記軸から離れるように面する外側表面および上記軸に向かって面するシール表面を有する、ローブと、
上記ローブの外側表面上に相互に隣接して位置付けられる、第５および第６のランプ表面であって、上記第５および第６のランプ表面は、上記ローブの外側表面から突出する第３の頂点に沿って連続的であり、上記第５および第６のランプ表面は、上記軸から上記第３の頂点まで半径方向に延在する、第３の線に対して角度を付けて配向される、第５および第６のランプ表面と、
上記ローブの外側表面上に相互に隣接して位置付けられる、第７および第８のランプ表面であって、上記第７および第８のランプ表面は、上記ローブの外側表面から突出する第４の頂点に沿って連続的であり、上記第７および第８のランプ表面は、上記軸から上記第４の頂点まで半径方向に延在する、第４の線に対して角度を付けて配向される、第７および第８のランプ表面と
をさらに備える、項目１５に記載のシール。
（項目１７）
上記第１および第３の頂点は、相互に整合され、上記第２および第４の頂点は、相互に整合される、項目１６に記載のシール。
（項目１８）
上記ローブと反対の外側リングの側の周囲に円周方向に延在する、リムであって、上記リムは、上記軸から離れるように面し、上記外側リングの外側表面からオフセットされる、外側表面を有する、リムと、
上記リムの外側表面上に相互に隣接して位置付けられる、第９および第１０のランプ表面であって、上記第９および第１０のランプ表面は、上記リムの外側表面から突出する第５の頂点に沿って連続的であり、上記第９および第１０のランプ表面は、上記軸から上記第５の頂点まで半径方向に延在する、第５の線に対して角度を付けて配向される、第９および第１０のランプ表面と、
上記リムの外側表面上に相互に隣接して位置付けられる、第１１および第１２のランプ表面であって、上記第１１および第１２のランプ表面は、上記リムの外側表面から突出する第６の頂点に沿って連続的であり、上記第１１および第１２のランプ表面は、上記軸から上記第６の頂点まで半径方向に延在する、第６の線に対して角度を付けて配向される、第１１および第１２のランプ表面と
をさらに備え、
上記第５および第６の頂点は、相互に正反対である、項目１６に記載のシール。
（項目１９）
上記第３および第５の頂点は、上記第１の頂点と整合され、上記第４および第６の頂点は、上記第２の頂点と整合される、項目１８に記載のシール。
（項目２０）
上記外側リングと上記軸との間に位置付けられる、内側リングであって、上記内側リングは、上記外側リングと上記ローブとの間に取り付けられ、上記軸と垂直に配向される対向して面する表面を画定する、内側リング
をさらに備える、項目１６に記載のシール。
（項目２２）
上記外側リングと上記軸との間に位置付けられる、内側リングであって、上記内側リングは、上記ローブに取り付けられ、上記軸と垂直に配向される対向して面する表面を画定する、内側リング
をさらに備える、項目１６に記載のシール。
（項目２３）
組み合わせにおける、パイプ要素を継合するためのシールおよびカップリングであって、上記シールは、
外側リングであって、上記外側リングは、上記外側リングと同軸方向に配向される軸を囲繞しており、上記外側リングは、上記軸から離れるように面する外側表面を有する、外側リングと、
上記外側表面上に相互に隣接して位置付けられる、第１および第２のランプ表面であって、上記第１および第２のランプ表面は、上記外側表面から外向きに突出する第１の頂点に沿って連続的であり、上記第１および第２のランプ表面は、上記軸から上記第１の頂点まで半径方向に延在する、第１の線に対して角度を付けて配向される、第１および第２のランプ表面と、
上記外側表面上に相互に隣接して位置付けられる、第３および第４のランプ表面であって、上記第３および第４のランプ表面は、上記外側表面から外向きに突出する第２の頂点に沿って連続的であり、上記第３および第４のランプ表面は、上記軸から上記第２の頂点まで半径方向に延在する、第２の線に対して角度を付けて配向される、第３および第４のランプ表面と、
を備え、
上記第１および第２の頂点は、相互に正反対であり、
上記カップリングは、
相互の端間に取り付けられ、上記シールを囲繞する、複数の区画であって、各上記区画は、両端に位置する取付部材を有し、各上記区画は、上記パイプ要素との係合のために、その両側上に位置付けられる弧状表面を有する、複数の区画
を備える、組み合わせ。
（項目２４）
上記取付部材は、各上記区画の両端から外向きに延在するつまみであって、各上記つまみは、締結具を受容するための孔を画定する、つまみ
を備える、項目２３に記載の組み合わせ。
（項目２５）
上記弧状表面は、上記区画から半径方向に上記軸に向かって突出する、項目２３に記載の組み合わせ。
（項目２６）
上記外側リングの第１の側の周囲に円周方向に延在する、ローブであって、上記ローブは、上記パイプ要素のうちの１つとの係合のために、上記軸から離れるように面する外側表面および上記軸に向かって面するシール表面を有する、ローブと、
上記ローブの外側表面上に相互に隣接して位置付けられる、第５および第６のランプ表面であって、上記第５および第６のランプ表面は、上記ローブの外側表面から突出する第３の頂点に沿って連続的であり、上記第５および第６のランプは、上記軸から上記第３の頂点まで半径方向に延在する、第３の線に対して角度を付けて配向される、第５および第６のランプ表面と、
上記ローブの外側表面上に相互に隣接して位置付けられる、第７および第８のランプ表面であって、上記第７および第８のランプ表面は、上記ローブの外側表面から突出する第４の頂点に沿って連続的であり、上記第７および第８のランプ表面は、上記軸から上記第４の頂点まで半径方向に延在する、第４の線に対して角度を付けて配向される、第７および第８のランプ表面と
をさらに備える、項目２３に記載の組み合わせ。
（項目２７）
上記第１および第３の頂点は、相互に整合され、上記第２および第４の頂点は、相互に整合される、項目２６に記載の組み合わせ。
（項目２８）
上記ローブと反対の外側リングの側の周囲に円周方向に延在する、リムであって、上記リムは、上記軸から離れるように面し、上記外側リングの外側表面からオフセットされる、外側表面を有する、リムと、
上記リムの外側表面上に相互に隣接して位置付けられる、第９および第１０のランプ表面であって、上記第９および第１０のランプ表面は、上記リムの外側表面から突出する第５の頂点に沿って連続的であり、上記第９および第１０のランプ表面は、上記軸から上記第５の頂点まで半径方向に延在する、第５の線に対して角度を付けて配向される、第９および第１０のランプ表面と、
上記リムの外側表面上に相互に隣接して位置付けられる、第１１および第１２のランプ表面であって、上記第１１および第１２のランプ表面は、上記リムの外側表面から突出する第６の頂点に沿って連続的であり、上記第１１および第１２のランプ表面は、上記軸から上記第６の頂点まで半径方向に延在する、第６の線に対して角度を付けて配向される、第１１および第１２のランプ表面と、
をさらに備え、上記第５および第６の頂点は、相互に正反対である、項目２６に記載の組み合わせ。
（項目２９）
上記第３および第５の頂点は、上記第１の頂点と整合され、上記第４および第６の頂点は、上記第２の頂点と整合される、項目２８に記載の組み合わせ。
（項目３０）
上記リングと上記軸との間に位置付けられる、弁体と、
上記弁体内に位置付けられる、弁閉鎖部材であって、上記弁閉鎖部材は、閉鎖位置と開放位置との間で移動可能である、弁閉鎖部材と、
上記弁閉鎖部材に取り付けられ、上記区画のうちの１つを通して延在する、弁軸と
をさらに備える、項目２６に記載の組み合わせ。
（項目３１）
上記外側リングと上記軸との間に位置付けられる、内側リングであって、上記内側リングは、上記外側リングと上記ローブとの間に取り付けられ、上記軸と垂直に配向される対向して面する表面を画定し、上記対向して面する表面のうちの一方は、上記パイプ要素のうちの１つの端部と係合可能であり、上記対向して面する表面のうち他方は、上記弁体と係合可能である、内側リング
をさらに備える、項目３０に記載の組み合わせ。
（項目３２）
上記外側リングと上記軸との間に位置付けられる、内側リングであって、上記内側リングは、上記ローブに取り付けられ、上記軸と垂直に配向される対向して面する表面を画定し、上記対向して面する表面のうちの一方は、上記パイプ要素のうちの１つの端部と係合可能であり、上記対向して面する表面のうち他方は、上記弁体と係合可能である、内側リング
をさらに備える、項目３０に記載の組み合わせ。
（項目３３）
上記複数の区画は、２つ以下の上記区画を含み、上記区画はそれぞれ、
上記両端間に延在する、後壁であって、上記後壁は、上記軸に面する内側表面を有する、後壁と、
上記区画の両端における上記後壁の内側表面上に位置付けられる、第１および第２の角度を付けて配向された表面と
を備える、項目２３に記載の組み合わせ。
【図１】
2019504249.tif 000003
【図２】
2019504249.tif 000004
【図３】
2019504249.tif 000005
【図４】
2019504249.tif 000006
【図４Ａ】
2019504249.tif 000007
【図４Ｂ】
2019504249.tif 000008
【図４Ｃ】
2019504249.tif 000009
【図４Ｄ】
2019504249.tif 000010
【図４Ｅ】
2019504249.tif 000011
【図５】
2019504249.tif 000012
【図５Ａ】
2019504249.tif 000013
【図５Ｂ】
2019504249.tif 000014
【図５Ｃ】
2019504249.tif 000015
【図５Ｄ】
2019504249.tif 000016
【図５Ｅ】
2019504249.tif 000017
【図５Ｆ】
2019504249.tif 000018
【図５Ｇ】
2019504249.tif 000019
【図６】
2019504249.tif 000020
【図７】
2019504249.tif 000021
【図８】
2019504249.tif 000022
【図９】
2019504249.tif 000023
【図１０】
2019504249.tif 000024
【図１１】
2019504249.tif 000025
【図１２】
2019504249.tif 000026
【図１３】
2019504249.tif 000027
【国際調査報告】
2019504249.tif 000028